(57)【要約】【課題】  物品入れが泥などを被り難く、運転者が搭乗しているときに物品入れに対して物品を出し入れする必要が生じても、運転者が農作業車から特に降りることなく、物品入れに対して物品を容易に出し入れできるようにする。【解決手段】  機体フレーム２０の上側に間隔を隔てて運転座席７を設けてある乗用型農作業車であって、運転座席と機体フレームとの間に、物品出し入れ口３５が上向きに開口する物品入れ３４を設けてある。【選択図】        図６
2006262874.tif 000002
【特許請求の範囲】
【請求項１】
機体フレームの上側に間隔を隔てて運転座席を設けてある乗用型農作業車であって、
前記運転座席と前記機体フレームとの間に、物品出し入れ口が上向きに開口する物品入れを設けてある乗用型農作業車。
【請求項２】
前記運転座席と前記機体フレームとの間を、前記運転座席の下面側に沿わせて設けてあるカバーで囲み、
前記物品入れを前記カバーの内側に設けて、前記物品出し入れ口を前記カバーに形成してある請求項１記載の乗用型農作業車。
【請求項３】
前記物品出し入れ口を、前記カバーのうちの、前記運転座席の下面側に沿うカバー部分に形成し、
前記運転座席を、前記物品出し入れ口を覆う状態で着座可能な使用位置と、前記物品出し入れ口を開放する状態で着座不能な非使用位置とに、位置変更自在に設けてある請求項２記載の乗用型農作業車。
【請求項４】
前記カバーのうちの、前記運転座席の横側方に向けて延設してあるカバー部分の一部を下向きに凹入させて、容器を倒れ止め状態で保持可能な容器ホルダを形成してある請求項２又は３記載の乗用型農作業車。
【発明の詳細な説明】
【技術分野】
【０００１】
本発明は、機体フレームの上側に間隔を隔てて運転座席を設けてある乗用型農作業車に関する。
【背景技術】
【０００２】
機体フレームの上側に間隔を隔てて運転座席を設けてある従来の乗用型農作業車、例えば乗用型田植機では、物品入れとしての例えば工具箱を、ステップの下側で、機体フレームの横側方に設けてある（例えば、特許文献１参照）。
【０００３】
【特許文献１】特開平８−２１４６４５号公報
【発明の開示】
【発明が解決しようとする課題】
【０００４】
このため、物品入れが泥などを被り易いことがあるとともに、運転者が搭乗しているときに物品入れに対して物品を出し入れする必要が生じると、運転者が農作業車から降りなければ出し入れし難いことがあり、運転者が農作業車から圃場に降りて出し入れする際には、運転者が圃場を踏みつけて、圃場を荒らすことになり易いこともある。
本発明は上記実情に鑑みてなされたものであって、物品入れが泥などを被り難く、運転者が搭乗しているときに物品入れに対して物品を出し入れする必要が生じても、運転者が農作業車から特に降りることなく、物品入れに対して物品を容易に出し入れできるようにすることを目的とする。
【課題を解決するための手段】
【０００５】
本発明の第１特徴構成は、機体フレームの上側に間隔を隔てて運転座席を設けてある乗用型農作業車であって、前記運転座席と前記機体フレームとの間に、物品出し入れ口が上向きに開口する物品入れを設けてある点にある。
【０００６】
〔作用及び効果〕
運転座席と機体フレームとの間に物品入れを設けてあるので、物品入れが従来に比べて泥などを被り難いとともに、その物品入れを物品出し入れ口が上向きに開口するように設けてあるので、運転者が搭乗しているときに物品入れに対して物品を出し入れする必要が生じても、運転者が農作業車から特に降りることなく、物品入れに対して物品を容易に出し入れできる。
【０００７】
本発明の第２特徴構成は、前記運転座席と前記機体フレームとの間を、前記運転座席の下面側に沿わせて設けてあるカバーで囲み、前記物品入れを前記カバーの内側に設けて、前記物品出し入れ口を前記カバーに形成してある点にある。
【０００８】
〔作用及び効果〕
カバーの内側に物品入れを設けて、物品出し入れ口をカバーに形成してあるので、物品入れをカバーで覆って機体外部から目立たないように体裁良く装備できる。
【０００９】
本発明の第３特徴構成は、前記物品出し入れ口を、前記カバーのうちの、前記運転座席の下面側に沿うカバー部分に形成し、前記運転座席を、前記物品出し入れ口を覆う状態で着座可能な使用位置と、前記物品出し入れ口を開放する状態で着座不能な非使用位置とに、位置変更自在に設けてある点にある。
【００１０】
〔作用及び効果〕
物品出し入れ口を、運転座席と機体フレームとの間を囲むカバーのうちの、運転座席の下面側に沿うカバー部分に形成してあるので、物品出し入れ口を通して泥や埃が物品入れに入り込み難い。
そして、運転座席を、物品出し入れ口を覆う状態で着座可能な使用位置と、物品出し入れ口を開放する状態で着座不能な非使用位置とに、位置変更自在に設けてあるので、運転座席を非使用位置に位置変更することで、物品入れに対して物品を容易に出し入れできる。
【００１１】
本発明の第４特徴構成は、前記カバーのうちの、前記運転座席の横側方に向けて延設してあるカバー部分の一部を下向きに凹入させて、容器を倒れ止め状態で保持可能な容器ホルダを形成してある点にある。
【００１２】
〔作用及び効果〕
運転座席と機体フレームとの間を囲むカバーのうちの、運転座席の横側方に向けて延設してあるカバー部分の一部を下向きに凹入させて、容器を倒れ止め状態で保持可能な容器ホルダを形成してあるので、運転座席の横側方に向けて延設してあるカバー部分を利用して、容器を倒れ止め状態で保持可能な容器ホルダを別途製作して組み付けることなく、容器ホルダを設けることができ、容器ホルダの製作や組み付けの手間を省ける。
【発明を実施するための最良の形態】
【００１３】
以下に本発明の実施の形態を図面に基づいて説明する。
〔第１実施形態〕
図１，図２は本発明による乗用型農作業車の一例としての乗用型田植機を示し、操向自在な前輪１と操向不能な後輪２とを備えた四輪駆動型走行機体３の機体フレーム２０の後部に、油圧シリンダ４で駆動される平行四連リンク構造の昇降リンク機構５を介して苗植付け装置６を連結してある。
【００１４】
前記走行機体３には、前部中央にボンネット９、操縦パネル１０、ステアリングハンドル１１等を設けるとともに、後部中央に運転座席７を設け、運転座席７の後方箇所に施肥装置８を配備し、ボンネット９の左右両脇に予備苗のせ台１２を立設装備してある。
【００１５】
前記苗植付け装置６は６条植え仕様に構成して昇降リンク機構５の後端下部にローリング自在に連結支持してあり、マット状苗を載置して一定ストロークで往復横移動する苗のせ台１３と、この苗のせ台１３の下端から１株分づつ苗を切り出して田面に植付ける６組の回転式の植付け機構１４、田面の植付け箇所を均平整地する３個の整地フロート１５等を備えている。
【００１６】
前記施肥装置８は、肥料ホッパ１６に貯留した粒状の肥料を設定量づつ繰出して、運転座席７の下側に設けてある電動ブロワ１７からの搬送風によって６本の供給ホース１８に送り出して、整地フロート１５に取り付けた６個の作溝器１９まで風力搬送し、作溝器１９によって植付け苗の横側近傍の田面に形成した施肥溝に肥料を送込んで埋設するように構成してある。
【００１７】
前記走行機体３の上部に板金プレス構造のステップ２１を搭載連結するとともに、その上にゴム製のフロアマット２２を敷設してあり、図３に示すように、ステップ２１は、ボンネット９を前部および左右から囲む前部ステップ２１Ｆと、その後部に接続してある主ステップ２１Ｍとから構成し、主ステップ２１Ｍには、その機体後方側の略中央に、運転座席７の支持フレーム２３を機体フレーム２０側に固定したり、苗植付け装置６の昇降操作レバー２４などを突出させたり、電動ブロワ１７を臨ませる略矩形の開口部２５を形成するとともに、その後部を隆起させてフェンダ部２１Ｂを形成し、このフェンダ部２１Ｂの左右扁平部に滑り止め状に突出する足載せ部２６を形成してある。
【００１８】
また、ステップ２１の左右には、苗のせ台１３の左右端部への苗補給を容易にするために拡張ステップ２７を設けてある。この拡張ステップ２７は、前輪１を透視可能に樹脂成形してあるスノコ状の前部拡張ステップ２７ａと、樹脂でブロー成形してある後部拡張ステップ２７ｂとから構成してあり、後部拡張ステップ２７ｂの外端下部に乗降用ステップ２８を連結してある。
【００１９】
前記後部拡張ステップ２７ｂは、図４，図５に示すように、その後方側を隆起させて、後輪２の上側を覆う状態で取付可能に形成してあり、滑り止め用の多数の三角突条の突起２９をその上面側に一体形成するとともに、機体側への固定用ビス孔３０をその下面側に設けてある。
【００２０】
前記運転座席７は、図６〜図９に示すように、主ステップ２１Ｍの開口部２５を通して機体フレーム２０側に固定してある支持フレーム２３に支持して、機体フレーム２０の上側に間隔を隔てて設けてあり、開口部２５を覆う樹脂製カバー３１で、運転座席７と機体フレーム２０との間を囲むとともに、電動ブロワ１７の上側を覆ってある。
【００２１】
前記カバー３１は、運転座席７の下面側に沿う中央カバー部分３２と、運転座席７の横側方に向けて延設してある左右の延設カバー部分３３ａ，３３ｂとを一体に備え、第１物品出し入れ口３５が運転座席７の下側に開口する第１物品入れ３４と、第２物品出し入れ口３７が運転座席７の横側方に開口する第２物品入れ３６と、缶入り飲料やカップなどの容器を倒れ止め状態で保持可能な容器ホルダ３８とを一体形成してあるとともに、昇降操作レバー２４のガイド孔３９を一方の延設カバー部分３３ｂに形成してある。
【００２２】
前記第１物品入れ３４は、図６に示すように、その底部が電動ブロワ１７の近くに達する深さで、横幅方向が機体幅方向に沿う略扁平な箱形に形成するとともに、略長方形の第１物品出し入れ口３５を中央カバー部分３２に形成して、カバー３１の内側に設けてあり、第１物品出し入れ口３５側ほど機体前方側に近づく前傾姿勢で設けて、ノートパソコンなどの扁平な物品でも収容できるように設けてある。
【００２３】
前記第１物品出し入れ口３５は、図７に示すように、中央カバー部分３２に機体幅方向の略中央で機体幅方向に沿うように形成するとともに、第１物品出し入れ口３５の蓋板４０を揺動開閉自在に支持して、運転座席７と機体フレーム２０との間に上向きに開口させてある。
【００２４】
そして、カバー３１から突出させた左右一対の支持フレーム２３に、運転座席７の機体前方側を機体幅方向に沿う横軸Ｘ周りで上向きに揺動自在に支持するとともに、運転座席７の機体後方側下面を弾性的に受け止めるゴムやクッションバネなどの左右一対の弾性材４１をカバー３１から突出するように設けて、運転座席７の機体後方側下面を弾性材４１で受け止めて第１物品出し入れ口３５を覆う状態で着座可能な使用位置と、第１物品入れ３５に対して物品を出し入れするようなときに、運転座席７を弾性材４１から離間するように持ち上げて、第１物品出し入れ口３５を開放する状態で着座不能な非使用位置とに、運転座席７を位置変更自在に設けてある。
【００２５】
前記第２物品入れ３６は、深さが浅い横長の箱形に形成して、略長方形の物品出し入れ口３７を一方の延設カバー部分３３ａに機体前後方向に沿わせて形成するとともに、第２物品出し入れ口３７の蓋板４２を揺動開閉自在に支持して設けてある。
【００２６】
前記容器ホルダ３８は、第２物品入れ３６を設けてある延設カバー部分３３ａのうちの、機体側方側で下方に向けて傾斜している傾斜カバー部分４３の一部を斜め下向きに凹入させて形成してあり、下側ほど小径の円錐状に形成してある環状の傾斜面部４４を入り口側に形成するともに、その傾斜面部４４の奥側に有底円筒状の容器収容部４５を一体形成し、その筒軸芯Ｙを上方側ほど機体前方側に近づくように傾斜させて、運転座席７に座っている運転者が容器を容易に出し入れできるようにしてある。
【００２７】
〔第２実施形態〕
図１０〜図１３は本発明による乗用型農作業車の別実施形態を示し、主ステップ２１Ｍの後部上面側に燃料タンク４６を固定して、電動ブロワ１７の上部を覆うとともに、その燃料タンク４６の上面に運転座席７を設けてある。
【００２８】
前記燃料タンク４６は、図１１〜図１３に示すように、フェンダ部２１Ｂを樹脂でブロー成型して機体幅方向の中央部に形成した中空部４７で構成してあり、燃料タンク４６を挟む左右両側のフェンダ部分４８に、三角突条や円形に膨出させた多数の滑り止め突起４９を一体形成してある。
【００２９】
そして、燃料タンク４６の上面に左右一対の支持金具５０を固定して、運転座席７の機体前方側をその支持金具５０で機体幅方向に沿う横軸Ｘ周りで上向きに揺動自在に支持するとともに、運転座席７の機体後方側下面を受け止める左右一対の受け止め部５１を、燃料タンク４６の上面側を膨出させて形成して、運転座席７の機体後方側下面を受け止め部５１で受け止めて燃料タンク４６を覆う状態で着座可能な使用位置と、燃料タンク４６の上部に設けてある注油口５２から燃料油を補給するようなときに、運転座席７を受け止め部５１から離間するように持ち上げて、燃料タンク４６の上面を開放する状態で着座不能な非使用位置とに、運転座席７を位置変更自在に設けてある。
その他の構成は第１実施形態と同様である。
【００３０】
〔その他の実施形態〕
１．本発明による乗用型農作業車は、運転座席と機体フレームとの間に、物品出し入れ口が上向きに開口する物品入れを機体外方に露出する状態で設けてあっても良い。
２．本発明による乗用型農作業車は、運転座席と機体フレームとの間を囲むカバーの側板部分に物品出し入れ口が開口する物品入れを設けてあっても良い。
３．本発明による乗用型農作業車は、運転座席をスライド移動させて、使用位置と非使用位置とに位置変更自在に設けてあっても良い。
４．本発明による乗用型農作業車は、トラクターやコンバインなどであっても良い。
【図面の簡単な説明】
【００３１】
【図１】乗用型農作業車の全体側面図
【図２】乗用型農作業車の全体平面図
【図３】ステップの平面図
【図４】後部拡張ステップの平面図
【図５】後部拡張ステップの側面図
【図６】要部の縦断面図
【図７】カバーの平面図
【図８】カバーの横断面図
【図９】要部の側面図
【図１０】第２実施形態を示す要部の側面図
【図１１】フェンダの平面図
【図１２】フェンダの正面図
【図１３】フェンダの縦断面図
【符号の説明】
【００３２】
７    運転座席
２０  機体フレーム
３１  カバー
３２  運転座席の下面側に沿うカバー部分
３３ａ  運転座席の横側方に向けて延設してあるカバー部分
３４  物品入れ
３５  物品出し入れ口
３８  容器ホルダ
【図１】
2006262874.tif 000003
【図２】
2006262874.tif 000004
【図３】
2006262874.tif 000005
【図４】
2006262874.tif 000006
【図５】
2006262874.tif 000007
【図６】
2006262874.tif 000008
【図７】
2006262874.tif 000009
【図８】
2006262874.tif 000010
【図９】
2006262874.tif 000011
【図１０】
2006262874.tif 000012
【図１１】
2006262874.tif 000013
【図１２】
2006262874.tif 000014
【図１３】
2006262874.tif 000015